(57)【要約】【課題】ＤＶＤ−ＲＡＭディスクのＣＰＲＭ認証に使用するＭＫＢを取得する処理のタイミングを変更することで、スピンアップに要する時間を短縮することができる光ディスク装置を提供する。【解決手段】挿入ディスクがＤＶＤ−ＲＡＭディスクであるときに、エンボスデータ領域の情報を読み出すための光ピックアップの調整が行われ、次に、コントロールデータ領域へのリード動作が行われ、物理フォーマット情報およびＭＫＢが取得される。この後、リライタブルデータ領域の情報を読み出すための光ピックアップの調整が行われ、次に欠陥管理領域へのリード動作が行われ、欠陥管理情報が取得される。この後、メディアキーブロックのデータに基づいて当該光ディスクの認証が行われ、認証が終了した場合に、ナビゲーション情報の読み出しが行われ、ナビゲーション情報に従って本編情報の再生が開始される。【選択図】図３
2008084408.tif 000002
【特許請求の範囲】
【請求項１】
光ディスクに記録された情報を再生、または光ディスクに対して情報の記録／再生を行う光ディスク装置において、
光ディスクが挿入された後、光ディスクを立ち上げ、光ピックアップが初期位置に設定されるまでの処理であるスピンアップの実行時に、当該光ディスクの判別をディスク種別情報により行うディスク判別手段と、
前記ディスク判別により当該光ディスクがＤＶＤ−ＲＡＭディスクであると判定されたときに、エンボスデータ領域の情報を読み出すために光ピックアップの調整を行うエンボスデータ領域用調整手段と、
前記エンボスデータ領域用の調整が行われた後、コントロールデータ領域へのリード動作を行って物理フォーマット情報およびメディアキーブロックを取得する物理フォーマット情報／メディアキーブロック取得手段と、
前記物理フォーマット情報およびメディアキーブロックが取得された後、リライタブルデータ領域の情報を読み出すために光ピックアップの調整を行うリライタブル領域用調整手段と、
前記リライタブルデータ領域用の調整が行われた後、欠陥管理領域へのリード動作を行って欠陥管理情報を取得する欠陥管理情報取得手段と、
バックエンドプロセッサに前記メディアキーブロックのデータを転送するデータ転送手段と、
前記メディアキーブロックのデータに基づいて当該光ディスクの認証が前記バックエンドプロセッサにより行われ、認証が終了したと判定された場合にナビゲーション情報の読み出しを行うナビゲーション情報読出手段と、
前記ナビゲーション情報の読み出しが行われた後、前記ナビゲーション情報に従って本編情報の再生を開始させる再生開始手段と、を有するフロントエンドプロセッサを備えたことを特徴とする光ディスク装置。
【請求項２】
光ディスクに記録された情報を再生、または光ディスクに対して情報の記録／再生を行う光ディスク装置において、
挿入された光ディスクがＤＶＤ−ＲＡＭディスクであると判定されたときに、エンボスデータ領域の情報を読み出すために光ピックアップの調整を行い、次に、コントロールデータ領域へのリード動作を行って物理フォーマット情報およびメディアキーブロックを取得し、この後、リライタブルデータ領域の情報を読み出すために光ピックアップの調整を行い、次に、欠陥管理領域へのリード動作を行って欠陥管理情報を取得し、前記メディアキーブロックのデータに基づいて当該光ディスクの認証を行って認証が終了した場合にナビゲーション情報の読み出しを行って、前記ナビゲーション情報に従って本編情報の再生を開始させる制御を行う制御部を備えたことを特徴とする光ディスク装置。
【請求項３】
前記制御部は、フロントエンドプロセッサとバックエンドプロセッサから構成され、前記フロントエンドプロセッサは、光ディスクが挿入された後、光ディスクを立ち上げ、光ピックアップが初期位置に設定されるまでの処理であるスピンアップの実行時に、当該光ディスクの判別をディスク種別情報により行うディスク判別手段と、前記ディスク判別により当該光ディスクがＤＶＤ−ＲＡＭディスクであると判定されたときに、エンボスデータ領域の情報を読み出すために光ピックアップの調整を行うエンボスデータ領域用調整手段と、前記エンボスデータ領域用の調整が行われた後、コントロールデータ領域へのリード動作を行って物理フォーマット情報およびメディアキーブロックを取得する物理フォーマット情報／メディアキーブロック取得手段と、前記物理フォーマット情報およびメディアキーブロックが取得された後、リライタブルデータ領域の情報を読み出すために光ピックアップの調整を行うリライタブル領域用調整手段と、前記リライタブルデータ領域用の調整が行われた後、欠陥管理領域へのリード動作を行って欠陥管理情報を取得する欠陥管理情報取得手段と、前記バックエンドプロセッサに前記メディアキーブロックのデータを転送するデータ転送手段と、前記メディアキーブロックのデータに基づいて当該光ディスクの認証が前記バックエンドプロセッサにより行われ、認証が終了したと判定された場合にナビゲーション情報の読み出しを行うナビゲーション情報読出手段と、前記ナビゲーション情報の読み出しが行われた後、前記ナビゲーション情報に従って本編情報の再生を開始させる再生開始手段とを有することを特徴とする請求項２に記載の光ディスク装置。
【発明の詳細な説明】
【技術分野】
【０００１】
本発明は、光ディスクに記録された情報を再生、または光ディスクに対して情報の記録／再生を行う光ディスク装置に関し、特に、スピンアップ時の処理に関する。
【背景技術】
【０００２】
近年、光ディスクとして、映画等のような大量の映像音声データなどの情報を記録することができる光ディスクであるＤＶＤ（デジタル・バーサタイル・ディスク）が普及している。ＤＶＤの種類としては、メーカ側で情報が記録され、ユーザ側では書き換えができないＤＶＤ−ＲＯＭ、ユーザ側で情報を１回だけ記録できるＤＶＤ−ＲやＤＶＤ＋Ｒ、ユーザ側で規定回数書き換え可能なＤＶＤ−ＲＷやＤＶＤ＋ＲＷあるいはＤＶＤ−ＲＡＭなどが知られている。
【０００３】
ところで、ＤＶＤに記録された情報の違法なコピーを防止する方法として、例えば、ＣＰＰＭ（Content Protection for Prerecorded Media）およびＣＰＲＭ（Content Protection for Recordable Media）が知られている。ＣＰＰＭは、例えばＤＶＤ−ＲＯＭなど再生専用の光ディスク用に開発され、ＣＰＲＭは、例えばＤＶＤ−Ｒ、ＤＶＤ＋Ｒ、ＤＶＤ−ＲＷ、ＤＶＤ＋ＲＷ、およびＤＶＤ−ＲＡＭなど記録可能な光ディスク用に開発されたものである。これらＣＰＰＭやＣＰＲＭは、光ディスク装置が保有している所謂機器鍵の情報と、光ディスクに記録されているＭＫＢ（Media Key Block）の情報とを用いて、暗号を解読するための所謂メディア鍵の情報を生成する。このメディア鍵の情報を用いて、光ディスクに暗号化されて記録された情報を解読し、情報を再生可能にさせたり、情報を記録可能にさせたりする方法が採られている。
【０００４】
ここで、従来の光ディスク装置にＤＶＤ−ＲＡＭディスクが挿入された場合の従来の光ディスク装置におけるスピンアップとＣＰＲＭ認証の処理について説明する。図４は従来の光ディスク装置において挿入された光ディスクがＤＶＤ−ＲＡＭディスクであった場合で再生開始されるまでのスピンアップとＣＰＲＭ認証処理を説明するためのフローチャートである。このフローチャートを参照して従来の光ディスク装置において挿入された光ディスクがＤＶＤ−ＲＡＭディスクであった場合で再生開始されるまでのスピンアップとＣＰＲＭ認証処理について説明する。
【０００５】
先ず、ユーザがリモコンのトレイ開閉キーを操作すると、バックエンドプロセッサは、ディスクドライブ装置のフロントエンドプロセッサに対してトレイオープン指令を与える。これにより、フロントエンドプロセッサは、トレイ駆動機構を駆動させてトレイをオープンさせる。そして、ユーザが光ディスクをトレイに載置し、再びトレイ開閉キーを操作すると、バックエンドプロセッサは、ディスクドライブ装置のフロントエンドプロセッサに対してトレイクローズ指令を与える。これにより、フロントエンドプロセッサは、トレイ駆動機構を駆動させてトレイをクローズさせ、光ディスクが挿入されたことを検知する（ステップＮ１）。
【０００６】
次に、フロントエンドプロセッサは、スピンドルモータを回転させることにより、光ディスクを回転させ、スピンアップ処理を開始する（ステップＮ２）。そして、フロントエンドプロセッサは、光ディスクの判別をコントロールデータ領域（Ｃｏｎｔｒｏｌ  Ｄａｔａ  Ｚｏｎｅ）に記録されているディスク種別情報により行う（ステップＮ３）。そして、前記ディスク判別により当該光ディスクがＤＶＤ−ＲＡＭディスクでないと判定されたときは（ステップＮ４）、当該光ディスクに応じたスピンアップを実行する（ステップＮ１５）。
【０００７】
一方、前記ディスク判別により当該光ディスクがＤＶＤ−ＲＡＭディスクであると判定されたときには（ステップＮ４）、フロントエンドプロセッサは、ＤＶＤ−ＲＡＭディスクのエンボスデータ領域（Ｅｍｂｏｓｓｅｄ  Ｄａｔａ  Ｚｏｎｅ）の情報を読み出すために、光ピックアップの傾きやフォーカスを変える調整（エンボスデータ領域用の調整）を行う（ステップＮ５）。
【０００８】
前記エンボスデータ領域用の調整が行われた後、フロントエンドプロセッサは、コントロールデータ領域（Ｃｏｎｔｒｏｌ  Ｄａｔａ  Ｚｏｎｅ）へのリード動作を行って、コントロールデータ領域（Ｃｏｎｔｒｏｌ  Ｄａｔａ  Ｚｏｎｅ）から物理フォーマット情報を取得する（ステップＮ６）。前記物理フォーマット情報が取得された後、フロントエンドプロセッサは、リライタブルデータ領域（Ｒｅｗｒｉｔａｂｌｅ  Ｄａｔａ  Ｚｏｎｅ）の情報を読み出すために、光ピックアップの傾きやフォーカスを変える調整（リライタブルデータ領域用の調整）を行う（ステップＮ７）。
【０００９】
前記リライタブルデータ領域用の調整が行われた後、フロントエンドプロセッサは、欠陥管理領域（ＤＭＡ）へのリード動作を行って、欠陥管理情報を取得する（ステップＮ８）。次に、再び、フロントエンドプロセッサは、ＤＶＤ−ＲＡＭディスクのエンボスデータ領域（Ｅｍｂｏｓｓｅｄ  Ｄａｔａ  Ｚｏｎｅ）の情報を読み出すために、光ピックアップの傾きやフォーカスを変える調整（エンボスデータ領域用の調整）を行う（ステップＮ９）。更に、再び、フロントエンドプロセッサは、コントロールデータ領域（Ｃｏｎｔｒｏｌ  Ｄａｔａ  Ｚｏｎｅ）へのリード動作を行って、コントロールデータ領域（Ｃｏｎｔｒｏｌ  Ｄａｔａ  Ｚｏｎｅ）からＭＫＢを取得する（ステップＮ１０）。
【００１０】
次に、フロントエンドプロセッサは、バックエンドプロセッサに対してＭＫＢのデータを転送する（ステップＮ１１）。バックエンドプロセッサでは、ＭＫＢのデータに基づいて、当該ＤＶＤ−ＲＡＭディスクに対するＣＰＲＭ認証を行い、認証が終了すれば、ディスクドライブ装置に対してナビゲーション情報の読み出し指示を行う。これに応答して、フロントエンドプロセッサは、光ピックアップを駆動し、当該ＤＶＤ−ＲＡＭディスクのデータ領域（Ｄａｔａ  Ａｒｅａ）からナビゲーション情報を読み出し（ステップＮ１３）、そのナビゲーション情報に従って、データ領域（Ｄａｔａ  Ａｒｅａ）から本編情報を読み出して再生を開始させる（ステップＮ１４）。
【特許文献１】特開２００４−２８８２７１号公報
【特許文献２】特開２００３−８５８８２号公報
【特許文献３】特開２００３−２４９０２１号公報
【発明の開示】
【発明が解決しようとする課題】
【００１１】
ところで、ＤＶＤ−ＲＡＭディスクは、リードイン領域（Ｌｅａｄ−ｉｎ  Ａｒｅａ）とデータ領域（Ｄａｔａ  Ａｒｅａ）とリードアウト領域（Ｌｅａｄ−ｏｕｔ  Ａｒｅａ）との３個の領域が存在する。リードイン領域（Ｌｅａｄ−ｉｎ  Ａｒｅａ）は、エンボスデータ領域（Ｅｍｂｏｓｓｅｄ  Ｄａｔａ  Ｚｏｎｅ）と、ミラー領域（Ｍｉｒｒｏｒ  Ｚｏｎｅ）と、リライタブルデータ領域（Ｒｅｗｒｉｔａｂｌｅ  Ｄａｔａ  Ｚｏｎｅ）とから構成される（図２参照）。エンボスデータ領域（Ｅｍｂｏｓｓｅｄ  Ｄａｔａ  Ｚｏｎｅ）は、ＤＶＤ−ＲＡＭディスクの製造段階で特殊加工によってデータが刻まれている。そのため、光ディスク装置は、通常のトラッキング／フォーカシング手法では、ＤＶＤ−ＲＡＭディスクからデータを読み出すことができず、光ピックアップがシークを行う前に、エンボスデータ領域用の調整を行わなければならない。
【００１２】
したがって、従来の光ディスク装置では、ＤＶＤ−ＲＡＭディスクにおけるリライタブルデータ領域（Ｒｅｗｒｉｔａｂｌｅ  Ｄａｔａ  Ｚｏｎｅ）とエンボスデータ領域（Ｅｍｂｏｓｓｅｄ  Ｄａｔａ  Ｚｏｎｅ）とが切り替わる度に光ピックアップを調整し直す必要があり、ＤＶＤ−ＲＡＭディスクの挿入後、スピンアップから認証して再生が開始されるまでの時間が多く要すると言う課題が生じる。
【００１３】
なお、特許文献１の従来技術は、ディスクセットアップにてディスク種別を判断した後、鍵束判断手段によってＭＫＢの取得を確認し、再生処理を判断するようにしているが、ＤＶＤ−ＲＡＭディスクのスピンアップの高速化を図る具体的な処理については開示されていない。
【００１４】
特許文献２の従来技術は、ローディングディスクを識別し、取得の第１セッションＴＯＣ情報から第２セッションが無効であれば、ＰＭＡ情報などを取得せずにスピンアップを完了して、ディスク情報をホストコンピュータへ返送するようにしている。即ち、この従来技術は、ディスクの種類に応じて情報取得の実行を省略し、スピンアップ処理時間の短縮を図っているが、この従来技術も、ＤＶＤ−ＲＡＭディスクのスピンアップの高速化を図る具体的な処理については開示されていない。
【００１５】
特許文献３の従来技術は、ディスク挿入でスピンアップ処理が開始して、判別されたディスクの種類に応じて、ＰＭＡ領域、リードイン領域を選択し、スピンアップ処理時間の短縮を図っているが、この従来技術も、ＤＶＤ−ＲＡＭディスクのスピンアップの高速化を図る具体的な処理については開示されていない。
【００１６】
本発明は、上記のような課題を解決するためになされたもので、ＤＶＤ−ＲＡＭディスクの認証（例えばＣＰＲＭ認証）に使用するメディアキーブロック（ＭＫＢ）を取得する処理のタイミングを変更することでスピンアップに要する時間を短縮することができる光ディスク装置を提供することを目的とする。
【課題を解決するための手段】
【００１７】
上記目的を達成するために、請求項１の発明は、光ディスクが挿入された後、光ディスクを立ち上げ、光ピックアップが初期位置に設定されるまでの処理であるスピンアップの実行時に、当該光ディスクの判別をディスク種別情報により行うディスク判別手段と、前記ディスク判別により当該光ディスクがＤＶＤ−ＲＡＭディスクであると判定されたときに、エンボスデータ領域の情報を読み出すために光ピックアップの調整を行うエンボスデータ領域用調整手段と、前記エンボスデータ領域用の調整が行われた後、コントロールデータ領域へのリード動作を行って物理フォーマット情報およびメディアキーブロックを取得する物理フォーマット情報／メディアキーブロック取得手段と、前記物理フォーマット情報およびメディアキーブロックが取得された後、リライタブル領域の情報を読み出すために光ピックアップの調整を行うリライタブル領域用調整手段と、前記リライタブルデータ領域用の調整が行われた後、欠陥管理領域へのリード動作を行って欠陥管理情報を取得する欠陥管理情報取得手段と、バックエンドプロセッサに前記メディアキーブロックのデータを転送するデータ転送手段と、前記メディアキーブロックのデータに基づいて当該光ディスクの認証が前記バックエンドプロセッサにより行われ、認証が終了したと判定された場合にナビゲーション情報の読み出しを行うナビゲーション情報読出手段と、前記ナビゲーション情報の読み出しが行われた後、前記ナビゲーション情報に従って本編情報の再生を開始させる再生開始手段と、を有するフロントエンドプロセッサを備えたことを特徴とする光ディスク装置を提供する。
【００１８】
この構成において、スピンアップ処理が開始すると、フロントエンドプロセッサのディスク判別手段は、ディスク種別情報によりディスク判別を行い、当該光ディスクがＤＶＤ−ＲＡＭディスクであると判定されたときには、フロントエンドプロセッサのエンボスデータ領域用調整手段は、ＤＶＤ−ＲＡＭディスクのエンボスデータ領域の情報を読み出すために光ピックアップのエンボスデータ領域用の調整を行う。前記エンボスデータ領域用の調整が行われた後、フロントエンドプロセッサの物理フォーマット情報／メディアキーブロック取得手段は、コントロールデータ領域へのリード動作を行って、コントロールデータ領域から物理フォーマット情報およびメディアキーブロックを取得する。
【００１９】
前記物理フォーマット情報およびメディアキーブロックが取得された後、フロントエンドプロセッサのリライタブル領域用調整手段は、リライタブルデータ領域の情報を読み出すために、光ピックアップの調整を行う。前記リライタブルデータ領域用の調整が行われた後、フロントエンドプロセッサの欠陥管理情報取得手段は、欠陥管理領域へのリード動作を行って欠陥管理情報を取得する。
【００２０】
次に、フロントエンドプロセッサのデータ転送手段は、バックエンドプロセッサに対して前記メディアキーブロックのデータを転送する。バックエンドプロセッサでは、メディアキーブロックのデータに基づいて、当該ＤＶＤ−ＲＡＭディスクに対する認証を行い、認証が終了すれば、フロントエンドプロセッサのナビゲーション情報読出手段は、ナビゲーション情報を読み出し、フロントエンドプロセッサの再生開始手段は、そのナビゲーション情報に従って本編情報の再生を開始させる。
【００２１】
この構成によれば、ＤＶＤ−ＲＡＭディスクの認証に使用するメディアキーブロックを取得する処理のタイミングを変更することで、即ち、物理フォーマット情報を取得する際に、メディアキーブロックも取得することで、エンボスデータ領域用の調整と、リライタブルデータ領域用の調整を一回省略することができ、これにより、スピンアップに要する時間を短縮することができ、この結果、ＤＶＤ−ＲＡＭディスクを挿入してから再生されるまでの時間が短縮される。
【００２２】
請求項２の発明は、挿入された光ディスクがＤＶＤ−ＲＡＭディスクであると判定されたときに、エンボスデータ領域の情報を読み出すために光ピックアップの調整を行い、次に、コントロールデータ領域へのリード動作を行って物理フォーマット情報およびメディアキーブロックを取得し、この後、リライタブルデータ領域の情報を読み出すために光ピックアップの調整を行い、次に、欠陥管理領域へのリード動作を行って欠陥管理情報を取得し、前記メディアキーブロックのデータに基づいて当該光ディスクの認証を行って認証が終了した場合にナビゲーション情報の読み出しを行って、前記ナビゲーション情報に従って本編情報の再生を開始させる制御を行う制御部を備えたことを特徴とする光ディスク装置を提供する。
【００２３】
この構成において、挿入された光ディスクがＤＶＤ−ＲＡＭディスクであると判定されたときに、エンボスデータ領域の情報を読み出すための光ピックアップの調整が行われ、次に、コントロールデータ領域へのリード動作が行われ、物理フォーマット情報およびメディアキーブロックが取得される。この後、リライタブルデータ領域の情報を読み出すための光ピックアップの調整が行われ、次に、欠陥管理領域へのリード動作が行われ、欠陥管理情報が取得される。この後、前記メディアキーブロックのデータに基づいて当該光ディスクの認証が行われ、認証が終了した場合に、ナビゲーション情報の読み出しが行われ、前記ナビゲーション情報に従って本編情報の再生が開始される。
【００２４】
この構成によれば、ＤＶＤ−ＲＡＭディスクの認証に使用するメディアキーブロックを取得する処理のタイミングを変更することで、即ち、物理フォーマット情報を取得する際に、メディアキーブロックも取得することで、エンボスデータ領域用の調整と、リライタブルデータ領域用の調整を一回省略することができ、これにより、スピンアップに要する時間を短縮することができ、この結果、ＤＶＤ−ＲＡＭディスクを挿入してから再生されるまでの時間が短縮される。
【００２５】
請求項３の発明では、請求項２の発明において、前記制御部は、フロントエンドプロセッサとバックエンドプロセッサから構成され、前記フロントエンドプロセッサは、光ディスクが挿入された後、光ディスクを立ち上げ、光ピックアップが初期位置に設定されるまでの処理であるスピンアップの実行時に、当該光ディスクの判別をディスク種別情報により行うディスク判別手段と、前記ディスク判別により当該光ディスクがＤＶＤ−ＲＡＭディスクであると判定されたときに、エンボスデータ領域の情報を読み出すために光ピックアップの調整を行うエンボスデータ領域用調整手段と、前記エンボスデータ領域用の調整が行われた後、コントロールデータ領域へのリード動作を行って物理フォーマット情報およびメディアキーブロックを取得する物理フォーマット情報／メディアキーブロック取得手段と、前記物理フォーマット情報およびメディアキーブロックが取得された後、リライタブルデータ領域の情報を読み出すために光ピックアップの調整を行うリライタブル領域用調整手段と、前記リライタブルデータ領域用の調整が行われた後、欠陥管理領域へのリード動作を行って欠陥管理情報を取得する欠陥管理情報取得手段と、前記バックエンドプロセッサに前記メディアキーブロックのデータを転送するデータ転送手段と、前記メディアキーブロックのデータに基づいて当該光ディスクの認証が前記バックエンドプロセッサにより行われ、認証が終了したと判定された場合にナビゲーション情報の読み出しを行うナビゲーション情報読出手段と、前記ナビゲーション情報の読み出しが行われた後、前記ナビゲーション情報に従って本編情報の再生を開始させる再生開始手段とを有する。
【００２６】
したがって、前記制御部は、フロントエンドプロセッサとバックエンドプロセッサから構成され、前記フロントエンドプロセッサは、ディスク判別処理、エンボスデータ領域用調整処理、物理フォーマット情報／メディアキーブロック取得処理、リライタブル領域用調整処理、欠陥管理情報取得処理、データ転送処理、ナビゲーション情報読出処理、および再生開始処理を実現でき、これにより、エンボスデータ領域用の調整と、リライタブルデータ領域用の調整を一回省略することが可能になる。
【発明の効果】
【００２７】
以上のように本発明によれば、光ディスクが挿入された後、光ディスクを立ち上げ、光ピックアップが初期位置に設定されるまでの処理であるスピンアップの実行時に、当該光ディスクの判別をディスク種別情報により行うディスク判別手段と、前記ディスク判別により当該光ディスクがＤＶＤ−ＲＡＭディスクであると判定されたときに、エンボスデータ領域の情報を読み出すために光ピックアップの調整を行うエンボスデータ領域用調整手段と、前記エンボスデータ領域用の調整が行われた後、コントロールデータ領域へのリード動作を行って物理フォーマット情報およびメディアキーブロックを取得する物理フォーマット情報／メディアキーブロック取得手段と、前記物理フォーマット情報およびメディアキーブロックが取得された後、リライタブルデータ領域の情報を読み出すために光ピックアップの調整を行うリライタブル領域用調整手段と、前記リライタブルデータ領域用の調整が行われた後、欠陥管理領域へのリード動作を行って欠陥管理情報を取得する欠陥管理情報取得手段と、バックエンドプロセッサに前記メディアキーブロックのデータを転送するデータ転送手段と、前記メディアキーブロックのデータに基づいて当該光ディスクの認証が前記バックエンドプロセッサにより行われ、認証が終了したと判定された場合にナビゲーション情報の読み出しを行うナビゲーション情報読出手段と、前記ナビゲーション情報の読み出しが行われた後、前記ナビゲーション情報に従って本編情報の再生を開始させる再生開始手段と、を有するフロントエンドプロセッサを備えたので、物理フォーマット情報を取得する際に、メディアキーブロックも取得することができ、これにより、エンボスデータ領域用の調整と、リライタブルデータ領域用の調整を一回省略することができ、したがって、スピンアップに要する時間を短縮することができ、この結果、ＤＶＤ−ＲＡＭディスクを挿入してから再生されるまでの時間が短縮されることになる。
【００２８】
また、本発明によれば、挿入された光ディスクがＤＶＤ−ＲＡＭディスクであると判定されたときに、エンボスデータ領域の情報を読み出すために光ピックアップの調整を行い、次に、コントロールデータ領域へのリード動作を行って物理フォーマット情報およびメディアキーブロックを取得し、この後、リライタブルデータ領域の情報を読み出すために光ピックアップの調整を行い、次に、欠陥管理領域へのリード動作を行って欠陥管理情報を取得し、前記メディアキーブロックのデータに基づいて当該光ディスクの認証を行って認証が終了した場合にナビゲーション情報の読み出しを行って、前記ナビゲーション情報に従って本編情報の再生を開始させる制御を行う制御部を備えたので、物理フォーマット情報を取得する際に、メディアキーブロックも取得することができ、これにより、エンボスデータ領域用の調整と、リライタブルデータ領域用の調整を一回省略することができ、したがって、スピンアップに要する時間を短縮することができ、この結果、ＤＶＤ−ＲＡＭディスクを挿入してから再生されるまでの時間が短縮されることになる。
【発明を実施するための最良の形態】
【００２９】
以下、添付図面を参照しつつ、本発明の実施の形態について説明する。図１は本発明の一実施形態に係る光ディスク装置の構成を示すブロック図である。本実施形態では、フロントエンドプロセッサとバックエンドプロセッサとを別々の設けたが、これに限らず、フロントエンドプロセッサとバックエンドプロセッサとの機能を含むシステムコントローラ（制御部）により装置全体の制御を行うように構成しても良い。
【００３０】
図１において、この光ディスク装置は、ディスクドライブ装置１３と、バックエンドプロセッサ１４とから構成されている。ディスクドライブ装置１３は、所定のインターフェイスでバックエンドプロセッサ１４と接続されている。ディスクドライブ装置１３には、フロントエンドプロセッサ１、光ピックアップ駆動回路２、レーザ制御回路３、回転制御回路４、スピンドルモータ５、光ピックアップ６、オーディオ出力回路８、バッファメモリ９、インターフェイス制御回路１０、ＲＡＭ（例えばＤ・ＲＡＭ）１１、およびフラッシュメモリ１２が備えられている。また、ディスクドライブ装置１３は、図示しないトレイを備え、このトレイには、光ディスク７が載置され、装置内に挿入される。
【００３１】
バックエンドプロセッサ１４には、光ディスク装置の前面パネルに設けられ複数の基本的な操作キーを有する本体操作部１５と、複数の各種操作キーを有するリモコン１７からの赤外線などの光操作信号を受光して電気信号の操作信号に変換する受光部１６とが接続されている。
【００３２】
ディスクドライブ装置１３に光ディスク７が挿入されると、フロントエンドプロセッサ１が、回転制御回路４に指示してスピンドルモータ５を回転制御させることにより、スピンアップ動作が開始される。そして、フロントエンドプロセッサ１は、光ピックアップ駆動回路２に指示して、光ピックアップ６を駆動し、光ディスク７からデータを読み出す。光ディスク７から読み出されたデータは、レーザ制御回路３に入力され、レーザ制御回路３からバッファメモリ９に格納される。ＲＡＭ１１は、その一部にディスク情報記憶部１１ａを有し、フロントエンドプロセッサ１は、バッファメモリ９に入力されたディスクデータのうち、ＴＯＣ（Table Of Contents）、ＰＭＡ（Program Memory Area）、パケットアドレスなどの管理情報をバッファメモリ９から読み出して、ＲＡＭ１１内のディスク情報記憶部１１ａに保持する。光ピックアップ６によるレーザ光の照射、および照射されたレーザ光の反射光からの情報の読み出しは、レーザ制御回路３によって制御される。
【００３３】
なお、光ディスク７がオーディオＣＤである場合、例えば、リモコン１７の再生キーが押下されると、バックエンドプロセッサ１４から再生コマンドが発行され、この再生コマンドをインターフェイス制御回路１０を介して受信したフロントエンドプロセッサ１の指示によって、光ディスク７から読み出されたオーディオデータが、レーザ制御回路３に入力された後、オーディオ出力回路８に与えられ、音声信号に変換され、図示しないスピーカに供給されて音声化される。フロントエンドプロセッサ１は、バックエンドプロセッサ１４から発行されるコマンドの種類によって音声を出力したり、音声出力を停止したり、あるいは音量を調整したりするかを判断する。これらの一連の制御シーケンスは、フラッシュメモリ１２に記憶されており、フロントエンドプロセッサ１は、その制御シーケンスに従って制御を行う。
【００３４】
図２は本実施形態においてＤＶＤ−ＲＡＭディスクのデータ構造を説明するためのデータ構造図である。ＤＶＤ−ＲＡＭディスクは、リードイン領域（Ｌｅａｄ−ｉｎ  Ａｒｅａ）とデータ領域（Ｄａｔａ  Ａｒｅａ）とリードアウト領域（Ｌｅａｄ−ｏｕｔ  Ａｒｅａ）との３個の領域が存在する。図２において、０２ＥＦＦＦなどはＤＶＤ−ＲＡＭディスク上のアドレスを示す。
【００３５】
図２（１）はリードイン領域（Ｌｅａｄ−ｉｎ  Ａｒｅａ）のデータ構造を示す。図２（２）は、図２（１）の続きのリードイン領域（Ｌｅａｄ−ｉｎ  Ａｒｅａ）のデータ構造を示す。このリードイン領域（Ｌｅａｄ−ｉｎ  Ａｒｅａ）は、エンボスデータ領域（Ｅｍｂｏｓｓｅｄ  Ｄａｔａ  Ｚｏｎｅ）と、ミラー領域（Ｍｉｒｒｏｒ  Ｚｏｎｅ）と、リライタブルデータ領域（Ｒｅｗｒｉｔａｂｌｅ  Ｄａｔａ  Ｚｏｎｅ）とから構成される。
【００３６】
エンボスデータ領域（Ｅｍｂｏｓｓｅｄ  Ｄａｔａ  Ｚｏｎｅ）は、イニシャル領域（Ｉｎｉｔｉａｌ  Ｚｏｎｅ）と、レファランスコード領域（Ｒｅｆｅｒｅｎｃｅ  Ｃｏｄｅ  Ｚｏｎｅ）と、バッファ領域（Ｂｕｆｆｅｒ  Ｚｏｎｅ）と、コントロールデータ領域（Ｃｏｎｔｒｏｌ  Ｄａｔａ  Ｚｏｎｅ）とから構成される。ミラー領域（Ｍｉｒｒｏｒ  Ｚｏｎｅ）は、コネクション領域（Ｃｏｎｎｅｃｔｉｏｎ  Ｚｏｎｅ）から構成される。
【００３７】
リライタブルデータ領域（Ｒｅｗｒｉｔａｂｌｅ  Ｄａｔａ  Ｚｏｎｅ）は、ガードトラック領域（Ｇｕａｒｄ  Ｔｒａｃｋ  Ｚｏｎｅ）と、ディスクテスト領域（Ｄｉｓｃ  Ｔｅｓｔ  Ｚｏｎｅ）と、ドライブテスト領域（Ｄｒｉｖｅ  Ｔｅｓｔ  Ｚｏｎｅ  ）と、ガードトラック領域（Ｇｕａｒｄ  Ｔｒａｃｋ  Ｚｏｎｅ）と、ディスク識別領域（Ｄｉｓｃ  Ｉｄｅｎｔｉｆｉｃａｔｉｏｎ  Ｚｏｎｅ）と、欠陥管理領域１（ＤＭＡ１）と、リザーブ領域（Ｒｅｓｅｒｖｅｄ）と、欠陥管理領域２（ＤＭＡ２）と、リザーブ領域（Ｒｅｓｅｒｖｅｄ）とから構成される。
【００３８】
イニシャル領域（Ｉｎｉｔｉａｌ  Ｚｏｎｅ）には、光ディスクの記録情報を保護するための情報が書き込まれている。レファランスコード領域（Ｒｅｆｅｒｅｎｃｅ  Ｃｏｄｅ  Ｚｏｎｅ）には、例えば、１６進のＡＡ５５（論理１，０が交互になっているデータ）のような特定のパターンデータが書き込まれ、この特定のパターンデータを正しく読めるかどうかの確認が行われる。バッファ領域（Ｂｕｆｆｅｒ  Ｚｏｎｅ）には、次に位置するコントロールデータ領域（Ｃｏｎｔｒｏｌ  Ｄａｔａ  Ｚｏｎｅ）のコントロールデータを保護するための情報が書き込まれる。
【００３９】
コネクション領域（Ｃｏｎｎｅｃｔｉｏｎ  Ｚｏｎｅ）は、エンボスデータ領域（Ｅｍｂｏｓｓｅｄ  Ｄａｔａ  Ｚｏｎｅ）とリライタブルデータ領域（Ｒｅｗｒｉｔａｂｌｅ  Ｄａｔａ  Ｚｏｎｅ）とを繋ぐために有る領域である。ガードトラック領域（Ｇｕａｒｄ  Ｔｒａｃｋ  Ｚｏｎｅ）は、次に位置する領域をガードする領域、即ち、光ピックアップからのレーザ光が目的とする領域から飛び越えないようにガードするための領域である。
【００４０】
ディスクテスト領域（Ｄｉｓｃ  Ｔｅｓｔ  Ｚｏｎｅ）は、光ディスクに情報を書き込むテストを行うための領域である。ドライブテスト領域（Ｄｒｉｖｅ  Ｔｅｓｔ  Ｚｏｎｅ  ）は、ディスクドライブ装置をテストするためにデータが書き込まれる領域である。ディスク識別領域（Ｄｉｓｃ  Ｉｄｅｎｔｉｆｉｃａｔｉｏｎ  Ｚｏｎｅ）は、光ディスクを識別するための情報が書き込まれる領域である。欠陥管理領域１（ＤＭＡ１）と欠陥管理領域２（ＤＭＡ２）は、光ディスク上の傷などの欠陥を管理するための欠陥管理情報が書き込まれる領域である。リザーブ領域（Ｒｅｓｅｒｖｅｄ）は予備の領域である。
【００４１】
図２（３）〜（５）は、データ領域（Ｄａｔａ  Ａｒｅａ）のデータ構造を示す。このデータ領域（Ｄａｔａ  Ａｒｅａ）は、リライタブルデータ領域（Ｒｅｗｒｉｔａｂｌｅ  Ｄａｔａ  Ｚｏｎｅ）から構成される。リライタブルデータ領域（Ｒｅｗｒｉｔａｂｌｅ  Ｄａｔａ  Ｚｏｎｅ）は、データが書き込まれる複数の領域（Ｚｏｎｅ０〜３４）から構成される。
【００４２】
図２（６）は、リードアウト領域（Ｌｅａｄ−ｏｕｔ  Ａｒｅａ）のデータ構造を示す。リードアウト領域（Ｌｅａｄ−ｏｕｔ  Ａｒｅａ）は、欠陥管理領域３（ＤＭＡ３）とリザーブ領域（Ｒｅｓｅｒｖｅｄ）と欠陥管理領域４（ＤＭＡ４）とリザーブ領域（Ｒｅｓｅｒｖｅｄ）とディスク識別領域（Ｄｉｓｃ  Ｉｄｅｎｔｉｆｉｃａｔｉｏｎ  Ｚｏｎｅ）とガードトラック領域（Ｇｕａｒｄ  Ｔｒａｃｋ  Ｚｏｎｅ）とドライブテスト領域（Ｄｒｉｖｅ  Ｔｅｓｔ  Ｚｏｎｅ  ）とディスクテスト領域（Ｄｉｓｃ  Ｔｅｓｔ  Ｚｏｎｅ）とガードトラック領域（Ｇｕａｒｄ  Ｔｒａｃｋ  Ｚｏｎｅ）とから構成される。
【００４３】
図３は本実施形態において挿入された光ディスクがＤＶＤ−ＲＡＭディスクであった場合で再生開始されるまでのスピンアップとＣＰＲＭ認証処理を説明するためのフローチャートである。このフローチャートおよび図１、図２を参照して挿入された光ディスクがＤＶＤ−ＲＡＭディスクであった場合で再生開始されるまでのスピンアップとＣＰＲＭ認証処理について説明する。
【００４４】
先ず、ユーザがリモコン１７のトレイ開閉キーを操作すると、バックエンドプロセッサ１４は、ディスクドライブ装置１３のフロントエンドプロセッサ１に対してトレイオープン指令を与える。これにより、フロントエンドプロセッサ１は、図示しないトレイ駆動機構を駆動させてトレイをオープンさせる。そして、ユーザが光ディスク７をトレイに載置し、再びトレイ開閉キーを操作すると、バックエンドプロセッサ１４は、ディスクドライブ装置１３のフロントエンドプロセッサ１に対してトレイクローズ指令を与える。これにより、フロントエンドプロセッサ１は、図示しないトレイ駆動機構を駆動させてトレイをクローズさせ、光ディスク１が挿入されたことを検知する（ステップＳ１）。
【００４５】
次に、フロントエンドプロセッサ１は、回転制御回路４を制御してスピンドルモータ５を回転させることにより、光ディスク７を回転させ、スピンアップ処理を開始する。そして、フロントエンドプロセッサ１のディスク判別手段は、光ディスク７の判別をコントロールデータ領域（Ｃｏｎｔｒｏｌ  Ｄａｔａ  Ｚｏｎｅ）に記録されているディスク種別情報により行う（ステップＳ３）。そして、前記ディスク判別により当該光ディスク７がＤＶＤ−ＲＡＭディスクでないと判定されたときは（ステップＳ４）、当該光ディスク７に応じたスピンアップを実行する。
【００４６】
一方、前記ディスク判別により当該光ディスク７がＤＶＤ−ＲＡＭディスクであると判定されたときには（ステップＳ４）、フロントエンドプロセッサ１のエンボスデータ領域用調整手段は、ＤＶＤ−ＲＡＭディスクのエンボスデータ領域（Ｅｍｂｏｓｓｅｄ  Ｄａｔａ  Ｚｏｎｅ）の情報を読み出すためにレーザ制御回路３を制御して、光ピックアップ６からのレーザ光がエンボスデータ領域（Ｅｍｂｏｓｓｅｄ  Ｄａｔａ  Ｚｏｎｅ）に適切に照射して、エンボスデータ領域（Ｅｍｂｏｓｓｅｄ  Ｄａｔａ  Ｚｏｎｅ）の情報が読み出せるように光ピックアップ６の傾きやフォーカスを変える調整（エンボスデータ領域用の調整）を行う（ステップＳ５）。
【００４７】
前記エンボスデータ領域用の調整が行われた後、フロントエンドプロセッサ１の物理フォーマット情報／メディアキーブロック取得手段は、光ピックアップ駆動回路２に指示し、光ピックアップ６を駆動し、コントロールデータ領域（Ｃｏｎｔｒｏｌ  Ｄａｔａ  Ｚｏｎｅ）へのリード動作を行って、コントロールデータ領域（Ｃｏｎｔｒｏｌ  Ｄａｔａ  Ｚｏｎｅ）から物理フォーマット情報およびＭＫＢ（メディアキーブロック）を、レーザ制御回路３を介して取得する（ステップＳ６）。そして、フロントエンドプロセッサ１は、前記取得した物理フォーマット情報およびＭＫＢ（メディアキーブロック）をバッファメモリ９に格納し、更に、バッファメモリ９から物理フォーマット情報およびＭＫＢ（メディアキーブロック）を読み出し、ＲＡＭ１１のディスク情報記憶部１１ａに保存する。
【００４８】
前記物理フォーマット情報およびＭＫＢ（メディアキーブロック）が取得された後、フロントエンドプロセッサ１のリライタブル領域用調整手段は、リライタブルデータ領域（Ｒｅｗｒｉｔａｂｌｅ  Ｄａｔａ  Ｚｏｎｅ）の情報を読み出すために、レーザ制御回路３を制御して、光ピックアップ６からのレーザ光がエンボスデータ領域に適切に照射して、リライタブルデータ領域（Ｒｅｗｒｉｔａｂｌｅ  Ｄａｔａ  Ｚｏｎｅ）の情報が読み出せるように、光ピックアップ６の傾きやフォーカスを変える調整（リライタブルデータ領域用の調整）を行う（ステップＳ７）。
【００４９】
前記リライタブルデータ領域用の調整が行われた後、フロントエンドプロセッサ１の欠陥管理情報取得手段は、光ピックアップ駆動回路２に指示し、光ピックアップ６を駆動し、欠陥管理領域（ＤＭＡ）へのリード動作を行って、欠陥管理情報を、レーザ制御回路３を介して取得する（ステップＳ８）。そして、フロントエンドプロセッサ１は、前記取得した欠陥管理情報をバッファメモリ９に格納し、更に、バッファメモリ９から欠陥管理情報を読み出し、ＲＡＭ１１のディスク情報記憶部１１ａに保存する。
【００５０】
次に、フロントエンドプロセッサ１のデータ転送手段は、バックエンドプロセッサ１４に対してＭＫＢ（メディアキーブロック）のデータを、インターフェイス制御回路１０を介して転送する（ステップＳ９）。バックエンドプロセッサ１４では、ＭＫＢ（メディアキーブロック）のデータに基づいて、当該ＤＶＤ−ＲＡＭディスクに対するＣＰＲＭ（Content Protection for Recordable Media）認証を行い、認証が終了すれば、ディスクドライブ装置１３に対してナビゲーション情報の読み出し指示を行う。なお、ＭＫＢ（メディアキーブロック）情報は、ＣＰＲＭ認証が終了するまでは、ディスクドライブ装置１３のＲＡＭ１１のディスク情報記憶部１１ａの或る領域に格納しておき、認証が終了次第、その或る領域は、他の情報を格納するために使用する。
【００５１】
これに応答して、フロントエンドプロセッサ１のナビゲーション情報読出手段は、光ピックアップ駆動回路２に指示し、光ピックアップ６を駆動し、当該ＤＶＤ−ＲＡＭディスクのデータ領域（Ｄａｔａ  Ａｒｅａ）からナビゲーション情報を読み出し（ステップＳ１０）、フロントエンドプロセッサ１の再生開始手段は、そのナビゲーション情報に従って、データ領域（Ｄａｔａ  Ａｒｅａ）から本編情報を読み出して再生を開始させる（ステップＳ１１）。
【００５２】
以上説明したように本実施形態によれば、物理フォーマット情報を取得する際に、メディアキーブロックも取得することができ、これにより、エンボスデータ領域用の調整と、リライタブルデータ領域用の調整を一回省略することができ、したがって、スピンアップに要する時間を短縮することができ、この結果、ＤＶＤ−ＲＡＭディスクを挿入してから再生されるまでの時間（例えば２〜３秒）が短縮されることになる。
【産業上の利用可能性】
【００５３】
本発明は、ＤＶＤプレイヤやＤＶＤレコーダなどの光ディスク装置に利用可能であり、ＤＶＤ−ＲＡＭディスクに対してもスピンアップの高速化を図ることができる。
【図面の簡単な説明】
【００５４】
【図１】本発明の一実施形態に係る光ディスク装置の構成を示すブロック図である。
【図２】前記実施形態においてＤＶＤ−ＲＡＭディスクのデータ構造を説明するためのデータ構造図である。
【図３】前記実施形態において挿入された光ディスクがＤＶＤ−ＲＡＭディスクであった場合で再生開始されるまでのスピンアップとＣＰＲＭ認証処理を説明するためのフローチャートである。
【図４】従来の光ディスク装置において挿入された光ディスクがＤＶＤ−ＲＡＭディスクであった場合で再生開始されるまでのスピンアップとＣＰＲＭ認証処理を説明するためのフローチャートである。
【符号の説明】
【００５５】
１    フロントエンドプロセッサ（ディスク判別手段、エンボス領域用調整手段、物理フォーマット情報／メディアキーブロック取得手段、リライタブル領域用調整手段、欠陥管理情報取得手段、データ転送手段、ナビゲーション情報読み出し手段、再生開始手段）
６    光ピックアップ
１４    バックエンドプロセッサ
【図１】
2008084408.tif 000003
【図２】
2008084408.tif 000004
【図３】
2008084408.tif 000005
【図４】
2008084408.tif 000006